(57)【要約】【課題】  捩じりばねがセット位置からの脱落しないようにすること【解決手段】  トレイドア５の裏面に左右一対のアーム６ａ，６ｂが突設され、該各アーム６ａ，６ｂの先端に突設した支軸７ａ，７ｂがフロントパネル３ａの裏面に突設した左右一対のブラケット８ａ，８ｂの軸孔９に回転可能に挿通され、一方の支軸７ａに巻回され両端をフロントパネル３ａとアーム６ａ，６ｂとに係合するセット位置に捩じりばね１０がセットされており、該捩じりばね１０のセット位置からの脱落を阻止するばね脱落阻止手段１７が設けられており、該ばね脱落阻止手段１７が、捩じりばね１０と一方の支軸７ａとの間に介在されブラケット８ａの軸孔９に移動可能に嵌入する円筒軸１７Ａからなっている。【選択図】        図１
2006004549.tif 000002
【特許請求の範囲】
【請求項１】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回され両端をフロントパネルとアームとに係
合するセット位置に捩じりばねがセットされており、該捩じりばねによりトレイドアを常
時閉動方向に付勢してトレイ挿通口に配置した状態で、前進させたトレイによりトレイド
アを捩じりばねに抗して押すことにより、そのトレイドアを支軸回りで開動させるように
したディスク装置において、前記捩じりばねのセット位置からの脱落を阻止するばね脱落
阻止手段が設けられており、該ばね脱落阻止手段が、捩じりばねと一方の支軸との間に介
在されて一方のブラケットの外側面に該ブラケットの軸孔と同心状に一体突設された円筒
軸からなることを特徴とするディスク装置。
【請求項２】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回され両端をフロントパネルとアームとに係
合するセット位置に捩じりばねがセットされており、該捩じりばねによりトレイドアを常
時閉動方向に付勢してトレイ挿通口に配置した状態で、前進させたトレイによりトレイド
アを捩じりばねに抗して押すことにより、そのトレイドアを支軸回りで開動させるように
したディスク装置において、前記捩じりばねのセット位置からの脱落を阻止するばね脱落
阻止手段が設けられており、該ばね脱落阻止手段が、フロントパネルの裏面に突設したロ
ックピンと、捩じりばねの一端を弯曲させて形成したリング部とを有し、該リング部をロ
ックピンに嵌合させた状態で該ロックピンの先端を加熱変形させることによりそのリング
部の内径よりも大径の抜止頭部が一体形成されていることを特徴とするディスク装置。
【請求項３】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回され両端をフロントパネルとアームとに係
合するセット位置に捩じりばねがセットされており、該捩じりばねによりトレイドアを常
時閉動方向に付勢してトレイ挿通口に配置した状態で、前進させたトレイによりトレイド
アを捩じりばねに抗して押すことにより、そのトレイドアを支軸回りで開動させるように
したディスク装置において、前記捩じりばねのセット位置からの脱落を阻止するばね脱落
阻止手段が設けられており、該ばね脱落阻止手段が、フロントパネルの裏面に所定間隔を
おいて平行に突設した一対のロックピンと、捩じりばねの一端を略Ｌ字状に折曲させて形
成したＬ字部とを有し、該Ｌ字部を両ロックピン間に挿入した状態で該両ロックピンの先
端を加熱変形させることによりその両ロックピンの先端どうしを連結する連結部が一体形
成されていることを特徴とするディスク装置。
【請求項４】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回され両端をフロントパネルとアームとに係
合するセット位置に捩じりばねがセットされており、該捩じりばねによりトレイドアを常
時閉動方向に付勢してトレイ挿通口に配置した状態で、前進させたトレイによりトレイド
アを捩じりばねに抗して押すことにより、そのトレイドアを支軸回りで開動させるように
したディスク装置において、前記捩じりばねのセット位置からの脱落を阻止するばね脱落
阻止手段が設けられており、該ばね脱落阻止手段が、前記プレーヤ本体の前面から捩じり
ばね側アームに接近して前方に突出するストッパ片からなり、該ストッパ片と捩じりばね
側アームとの間の隙間がその捩じりばね側の支軸の先端からブラケットの内側面までの間
隔よりも小さく設定されていることを特徴とするディスク装置。
【請求項５】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、フロントパネルと一方のアームとの間のセット位置に引っ張
りばねがセットされており、該引っ張りばねによりトレイドアを常時閉動方向に付勢して
トレイ挿通口に配置した状態で、前進させたトレイによりトレイドアを引っ張りばねに抗
して押すことにより、そのトレイドアを支軸回りで開動させるようにしたディスク装置に
おいて、前記引っ張りばねのセット位置からの脱落を阻止するばね脱落阻止手段が設けら
れており、該ばね脱落阻止手段が、フロントパネルの裏面に突設したロックピンと、引っ
張りばねの一端を弯曲させて形成したリング部とを有し、該リング部をロックピンに嵌合
させた状態で該ロックピンの先端を加熱変形させることによりそのリング部の内径よりも
大径の抜止頭部が一体形成されていることを特徴とするディスク装置。
【請求項６】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回され両端をフロントパネルとアームとに係
合するセット位置に捩じりばねがセットされており、該捩じりばねによりトレイドアを常
時閉動方向に付勢してトレイ挿通口に配置した状態で、前進させたトレイによりトレイド
アを捩じりばねに抗して押すことにより、そのトレイドアを支軸回りで開動させるように
したディスク装置において、前記捩じりばねのセット位置からの脱落を阻止するばね脱落
阻止手段が設けられていることを特徴とするディスク装置。
【請求項７】
前記ばね脱落阻止手段が、捩じりばねと一方の支軸との間に介在されて一方のブラケッ
トの外側面に該ブラケットの軸孔と同心状に一体突設された円筒軸からなることを特徴と
する請求項６に記載のディスク装置。
【請求項８】
前記ばね脱落阻止手段が、フロントパネルの裏面に突設したロックピンと、捩じりばね
の一端を弯曲させて形成したリング部とを有し、該リング部をロックピンに嵌合させた状
態で該ロックピンの先端を加熱変形させることによりそのリング部の内径よりも大径の抜
止頭部が一体形成されていることを特徴とする請求項６に記載のディスク装置。
【請求項９】
前記ばね脱落阻止手段が、フロントパネルの裏面に所定間隔をおいて平行に突設した一
対のロックピンと、捩じりばねの一端を略Ｌ字状に折曲させて形成したＬ字部とを有し、
該Ｌ字部を両ロックピン間に挿入した状態で該両ロックピンの先端を加熱変形させること
によりその両ロックピンの先端どうしを連結する連結部が一体形成されていることを特徴
とする請求項６に記載のディスク装置。
【請求項１０】
前記ばね脱落阻止手段が、前記プレーヤ本体の前面に突設され捩じりばね側アームに接
近して前方に突出するストッパ片を有し、該ストッパ片と捩じりばね側アームとの間の隙
間がその捩じりばね側の支軸の先端からブラケットの内側面までの間隔よりも小さく設定
されていることを特徴とする請求項６に記載のディスク装置。
【発明の詳細な説明】
【技術分野】
【０００１】
本発明は、例えばＤＶＤなどのディスク装置に関し、特にトレイドアを閉動方向に付勢
する捩じりばねや引っ張りばねがセット位置から脱落しないようにしたものである。
【背景技術】
【０００２】
従来、ディスク装置の一例として特許文献１などに記載したものがあり、その一例を図
７〜図１０に基づいて説明すると、これは、前後進ａ，ｂ可能なディスクＤ載置用トレイ
１を備えたプレーヤ本体２が筐体３内に配置されると共に、該トレイ１に対向して筐体３
の合成樹脂製フロントパネル３ａにトレイ挿通口４が開設され、該トレイ挿通口４を開閉
するための合成樹脂製トレイドア５の裏面に左右一対の略コ字状アーム６ａ，６ｂが突設
され、該各アーム６ａ，６ｂの先端に突設した支軸７ａ，７ｂが前記フロントパネル３ａ
の裏面に突設した左右一対のブラケット８ａ，８ｂの軸孔９に矢印ｃ，ｄ方向に回転可能
に挿通され、一方の支軸７ａに巻回され両端をフロントパネル３ａと一方のアーム６ａの
ストッパ突起６ｃとに係合するセット位置（図８実線参照）に捩じりばね１０がセットさ
れることにより、トレイドア５が常時閉動ｃ方向に付勢されてトレイ挿通口４に配置され
、トレイドア５の裏面両端にトレイ用当たり板１１が突設されている。なお、図７中、１
２は他方のブラケット８ｂに接近してフロントパネル３ａの裏面に突設された支軸抜け止
め片、１３は電源釦、１４は各種操作釦、１５はエジェクト釦である。
【０００３】
エジェクト動作を説明すると、図８に実線で示すように、トレイドア５によりトレイ挿
通口４を閉鎖した状態でエジェクト釦１５を押すと、そのエジェクト信号に基づいてトレ
イ１が前進ａされ、その前進ａさせたトレイ１で当たり板１１を介してトレイドア５を捩
じりばね１０に抗して押すことにより該トレイドア５を支軸７ａ，７ｂ回りで開動ｄさせ
る〔図８仮想線参照〕。次に、最前進ａさせたトレイ１上からディスクＤを取り外したり
新たなディスクＤを載置した後、エジェクト釦１５を押すことにより、そのエジェクト信
号に基づいてトレイ１が後進ｂされてプレーヤ本体２内に収納され〔図８実線参照〕、そ
れとほぼ同時に、トレイドア５が捩じりばね１０により閉動ｃされてトレイ挿通口４を閉
鎖する。
【特許文献１】特開２００３−５１１８１号公報
【発明の開示】
【発明が解決しようとする課題】
【０００４】
上記従来の構成では、例えば子供が悪戯でトレイドア５を無理に開動ｄさせ（図８仮想
線参照）、その際の衝撃でトレイドア５を折損させた場合に、一方の支軸７ａが一方のブ
ラケット８ａの軸孔９から抜けることにより（図１０仮想線参照）、その一方の支軸７ａ
に巻回した捩じりばね１０がセット位置から脱落する。これにより、その脱落した捩じり
ばね１０がプレーヤ本体２内のプリント基板に接触してショート事故を生じさせるおそれ
があり、危険である。
【０００５】
本発明は、上記従来の欠点に鑑み、トレイドアを閉動方向に付勢する捩じりばねや引っ
張りばねがセット位置から脱落しないようにしたディスク装置を提供することを目的とし
てしている。
【課題を解決するための手段】
【０００６】
上記目的を達成するため、請求項１に記載の発明は、前後進可能なディスク載置用トレ
イを備えたプレーヤ本体が筐体内に配置されると共に、該トレイに対向して筐体の合成樹
脂製フロントパネルにトレイ挿通口が開設され、該トレイ挿通口を開閉するためのトレイ
ドアの裏面に左右一対のアームが突設され、該各アームの先端に突設した支軸が前記フロ
ントパネルの裏面に突設した左右一対のブラケットの軸孔に回転可能に挿通され、一方の
支軸に巻回され両端をフロントパネルとアームとに係合するセット位置に捩じりばねがセ
ットされており、該捩じりばねによりトレイドアを常時閉動方向に付勢してトレイ挿通口
に配置した状態で、前進させたトレイによりトレイドアを捩じりばねに抗して押すことに
より、そのトレイドアを支軸回りで開動させるようにしたディスク装置において、前記捩
じりばねのセット位置からの脱落を阻止するばね脱落阻止手段が設けられており、該ばね
脱落阻止手段が、捩じりばねと一方の支軸との間に介在されて一方のブラケットの外側面
に該ブラケットの軸孔と同心状に一体突設された円筒軸からなることを特徴としている。
【０００７】
請求項２に記載の発明は、前後進可能なディスク載置用トレイを備えたプレーヤ本体が
筐体内に配置されると共に、該トレイに対向して筐体の合成樹脂製フロントパネルにトレ
イ挿通口が開設され、該トレイ挿通口を開閉するためのトレイドアの裏面に左右一対のア
ームが突設され、該各アームの先端に突設した支軸が前記フロントパネルの裏面に突設し
た左右一対のブラケットの軸孔に回転可能に挿通され、一方の支軸に巻回され両端をフロ
ントパネルとアームとに係合するセット位置に捩じりばねがセットされており、該捩じり
ばねによりトレイドアを常時閉動方向に付勢してトレイ挿通口に配置した状態で、前進さ
せたトレイによりトレイドアを捩じりばねに抗して押すことにより、そのトレイドアを支
軸回りで開動させるようにしたディスク装置において、前記捩じりばねのセット位置から
の脱落を阻止するばね脱落阻止手段が設けられており、該ばね脱落阻止手段が、フロント
パネルの裏面に突設したロックピンと、捩じりばねの一端を弯曲させて形成したリング部
とを有し、該リング部をロックピンに嵌合させた状態で該ロックピンの先端を加熱変形さ
せることによりそのリング部の内径よりも大径の抜止頭部が一体形成されていることを特
徴としている。
【０００８】
請求項３に記載の発明は、前後進可能なディスク載置用トレイを備えたプレーヤ本体が
筐体内に配置されると共に、該トレイに対向して筐体の合成樹脂製フロントパネルにトレ
イ挿通口が開設され、該トレイ挿通口を開閉するためのトレイドアの裏面に左右一対のア
ームが突設され、該各アームの先端に突設した支軸が前記フロントパネルの裏面に突設し
た左右一対のブラケットの軸孔に回転可能に挿通され、一方の支軸に巻回され両端をフロ
ントパネルとアームとに係合するセット位置に捩じりばねがセットされており、該捩じり
ばねによりトレイドアを常時閉動方向に付勢してトレイ挿通口に配置した状態で、前進さ
せたトレイによりトレイドアを捩じりばねに抗して押すことにより、そのトレイドアを支
軸回りで開動させるようにしたディスク装置において、前記捩じりばねのセット位置から
の脱落を阻止するばね脱落阻止手段が設けられており、該ばね脱落阻止手段が、フロント
パネルの裏面に所定間隔をおいて平行に突設した一対のロックピンと、捩じりばねの一端
を略Ｌ字状に折曲させて形成したＬ字部とを有し、該Ｌ字部を両ロックピン間に挿入した
状態で該両ロックピンの先端を加熱変形させることによりその両ロックピンの先端どうし
を連結する連結部が一体形成されていることを特徴としている。
【０００９】
請求項４に記載の発明は、前後進可能なディスク載置用トレイを備えたプレーヤ本体が
筐体内に配置されると共に、該トレイに対向して筐体の合成樹脂製フロントパネルにトレ
イ挿通口が開設され、該トレイ挿通口を開閉するためのトレイドアの裏面に左右一対のア
ームが突設され、該各アームの先端に突設した支軸が前記フロントパネルの裏面に突設し
た左右一対のブラケットの軸孔に回転可能に挿通され、一方の支軸に巻回され両端をフロ
ントパネルとアームとに係合するセット位置に捩じりばねがセットされており、該捩じり
ばねによりトレイドアを常時閉動方向に付勢してトレイ挿通口に配置した状態で、前進さ
せたトレイによりトレイドアを捩じりばねに抗して押すことにより、そのトレイドアを支
軸回りで開動させるようにしたディスク装置において、前記捩じりばねのセット位置から
の脱落を阻止するばね脱落阻止手段が設けられており、該ばね脱落阻止手段が、前記プレ
ーヤ本体の前面から捩じりばね側アームに接近して前方に突出するストッパ片からなり、
該ストッパ片と捩じりばね側アームとの間の隙間がその捩じりばね側の支軸の先端からブ
ラケットの内側面までの間隔よりも小さく設定されていることを特徴としている。
【００１０】
請求項５に記載の発明は、前後進可能なディスク載置用トレイを備えたプレーヤ本体が
筐体内に配置されると共に、該トレイに対向して筐体の合成樹脂製フロントパネルにトレ
イ挿通口が開設され、該トレイ挿通口を開閉するためのトレイドアの裏面に左右一対のア
ームが突設され、該各アームの先端に突設した支軸が前記フロントパネルの裏面に突設し
た左右一対のブラケットの軸孔に回転可能に挿通され、フロントパネルと一方のアームと
の間のセット位置に引っ張りばねがセットされており、該引っ張りばねによりトレイドア
を常時閉動方向に付勢してトレイ挿通口に配置した状態で、前進させたトレイによりトレ
イドアを引っ張りばねに抗して押すことにより、そのトレイドアを支軸回りで開動させる
ようにしたディスク装置において、前記引っ張りばねのセット位置からの脱落を阻止する
ばね脱落阻止手段が設けられており、該ばね脱落阻止手段が、フロントパネルの裏面に突
設したロックピンと、引っ張りばねの一端を弯曲させて形成したリング部とを有し、該リ
ング部をロックピンに嵌合させた状態で該ロックピンの先端を加熱変形させることにより
そのリング部の内径よりも大径の抜止頭部が一体形成されていることを特徴としている。
【００１１】
請求項６に記載の発明は、前後進可能なディスク載置用トレイを備えたプレーヤ本体が
筐体内に配置されると共に、該トレイに対向して筐体の合成樹脂製フロントパネルにトレ
イ挿通口が開設され、該トレイ挿通口を開閉するためのトレイドアの裏面に左右一対のア
ームが突設され、該各アームの先端に突設した支軸が前記フロントパネルの裏面に突設し
た左右一対のブラケットの軸孔に回転可能に挿通され、一方の支軸に巻回され両端をフロ
ントパネルとアームとに係合するセット位置に捩じりばねがセットされており、該捩じり
ばねによりトレイドアを常時閉動方向に付勢してトレイ挿通口に配置した状態で、前進さ
せたトレイによりトレイドアを捩じりばねに抗して押すことにより、そのトレイドアを支
軸回りで開動させるようにしたディスク装置において、前記捩じりばねのセット位置から
の脱落を阻止するばね脱落阻止手段が設けられていることを特徴としている。
【００１２】
請求項７に記載の発明は、請求項６に記載の発明において、捩じりばねと一方の支軸と
の間に介在されて一方のブラケットの外側面に該ブラケットの軸孔と同心状に一体突設さ
れた円筒軸からなることを特徴としている。
【００１３】
請求項８に記載の発明は、請求項６に記載の発明において、前記ばね脱落阻止手段が、
フロントパネルの裏面に突設したロックピンと、捩じりばねの一端を弯曲させて形成した
リング部とを有し、該リング部をロックピンに嵌合させた状態で該ロックピンの先端を加
熱変形させることによりそのリング部の内径よりも大径の抜止頭部が一体形成されている
ことを特徴としている。
【００１４】
請求項９に記載の発明は、請求項６に記載の発明において、前記ばね脱落阻止手段が、
フロントパネルの裏面に所定間隔をおいて平行に突設した一対のロックピンと、捩じりば
ねの一端を略Ｌ字状に折曲させて形成したＬ字部とを有し、該Ｌ字部を両ロックピン間に
挿入した状態で該両ロックピンの先端を加熱変形させることによりその両ロックピンの先
端どうしを連結する連結部が一体形成されていることを特徴としている。
【００１５】
請求項１０に記載の発明は、請求項６に記載の発明において、前記ばね脱落阻止手段が
、前記プレーヤ本体の前面に突設され捩じりばね側アームに接近して前方に突出するスト
ッパ片を有し、該ストッパ片と捩じりばね側アームとの間の隙間がその捩じりばね側の支
軸の先端からブラケットの内側面までの間隔よりも小さく設定されていることを特徴とし
ている。
【発明の効果】
【００１６】
請求項１に記載の発明は第１の実施の形態（図１参照）に対応するものであって、これ
によれば、例えば子供が悪戯でトレイドアを無理に開動させ、その際の衝撃でトレイドア
を折損させることにより、そのトレイドアの支軸がブラケットの軸孔から抜けたとしても
、捩じりばねと支軸との間に円筒軸が介在されているので、該円筒軸により捩じりばねの
脱落を確実に阻止することができ、従来のように捩じりばねがセット位置から脱落してプ
レーヤ本体内のプリント基板に接触することによりショート事故を生じさせることがなく
、安全性が高いディスク装置を提供することができる。
【００１７】
請求項２に記載の発明は第２の実施の形態（図２及び図３参照）に対応するものであっ
て、これによれば、請求項１に記載の発明とほぼ同様の効果を得ることができ、特に、捩
じりばねの一端に形成したリング部をフロントパネルの裏面に突設した抜止頭部付きロッ
クピンに嵌合させているので、該捩じりばねを巻回させた支軸がブラケットの軸孔から抜
けても、その捩じりばねが従来のように脱落することがなく、安全性が高い。また、捩じ
りばねのリング部をロックピンに嵌合させた状態で該ロックピンの先端を加熱変形させて
そのロックピンの先端に大径の抜止頭部を形成するだけでよいから、その形成のために部
品点数が増加せず、経済的である。
【００１８】
請求項３に記載の発明は第３の実施の形態（図４参照）に対応するものであって、これ
によれば、請求項１に記載の発明とほぼ同様の効果を得ることができ、特に、捩じりばね
の一端に形成したＬ字部をフロントパネルの裏面に突設した一体連結状両ロックピン間に
挿入しているので、該捩じりばねを巻回させた支軸がブラケットの軸孔から抜けても、そ
の捩じりばねが従来のように脱落することがなく、安全性が高い。また、捩じりばねのＬ
字部を両ロックピン間に挿入した状態で該両ロックピンの先端を加熱変形させてその両ロ
ックピンの先端どうしを一体連結するだけでよいから、部品点数が増加せず、経済的であ
る。
【００１９】
請求項４に記載の発明は第４の実施の形態（図５参照）に対応するものであって、これ
によれば、請求項１に記載の発明とほぼ同様の効果を得ることができ、特に、トレイドア
の折損により捩じりばね側アームが脱落しようとしても、該アームがストッパ片に当たる
ことにより、そのアームに突設した支軸がブラケットの軸孔から抜けることがないので、
その支軸に巻回した捩じりばねが脱落することがなく、安全性が高い。また、ストッパ片
をプレーヤ本体の前面に捩じりばね側アームに接近して一体突設するだけでよいから、部
品点数が増加せず、経済的ある。
【００２０】
請求項５に記載の発明は第５の実施の形態（図６参照）に対応するものであって、これ
によれば、請求項１に記載の発明とほぼ同様の効果を得ることができ、特に、引っ張りば
ねの一端に形成したリング部をフロントパネルの裏面に突設した抜止頭部付きロックピン
に嵌合させているので、該引っ張りばねを巻回させた支軸がブラケットの軸孔から抜けて
も、その引っ張りばねが従来のように脱落することがなく、安全性が高い。また、引っ張
りばねのリング部をロックピンに嵌合させた状態で該ロックピンの先端を加熱変形させて
そのロックピンの先端に大径の抜止頭部を形成するだけでよいから、その形成のために部
品点数が増加せず、経済的である。
【００２１】
請求項６に記載の発明は基本形態に相当するものであって、これによれば、例えば子供
が悪戯でトレイドアを無理に開動させ、その際の衝撃でトレイドアを折損させることによ
り、そのトレイドアの支軸がブラケットの軸孔から抜けたとしても、その支軸に巻回した
捩じりばねが脱落するのをばね脱落阻止手段で阻止しているので、その捩じりばねをセッ
ト位置に確実に保持することができ、従来のように捩じりばねがセット位置から脱落して
プレーヤ本体内のプリント基板に接触することによりショート事故を生じさせることがな
く、安全性が高いディスク装置を提供することができる。
【００２２】
請求項７に記載の発明によれば、捩じりばねと支軸との間に円筒軸が介在されているの
で、その支軸がブラケットの軸孔から抜けても、円筒軸により捩じりばねの脱落を確実に
阻止することができる。
【００２３】
請求項８に記載の発明によれば、捩じりばねの一端に形成したリング部をフロントパネ
ルの裏面に突設した抜止頭部付きロックピンに嵌合させているので、該捩じりばねを巻回
させた支軸がブラケットの軸孔から抜けても、その捩じりばねが従来のように脱落するこ
とがなく、安全性が高い。また、捩じりばねのリング部をロックピンに嵌合させた状態で
該ロックピンの先端を加熱変形させてそのロックピンの先端に大径の抜止頭部を形成する
だけでよいから、その形成のために部品点数が増加せず、経済的である。
【００２４】
請求項９に記載の発明によれば、捩じりばねの一端に形成したＬ字部をフロントパネル
の裏面に突設した一体連結状両ロックピン間に挿入しているので、該捩じりばねを巻回さ
せた支軸がブラケットの軸孔から抜けても、その捩じりばねが従来のように脱落すること
がなく、安全性が高い。また、捩じりばねのＬ字部を両ロックピン間に挿入した状態で該
両ロックピンの先端を加熱変形させてその両ロックピンの先端どうしを一体連結するだけ
でよいから、部品点数が増加せず、経済的である。
【００２５】
請求項１０に記載の発明によれば、トレイドアの折損により捩じりばね側アームが脱落
しようとしても、該アームがストッパ片に当たることにより、そのアームに突設した支軸
がブラケットの軸孔から抜けることがないので、その支軸に巻回した捩じりばねが脱落す
ることがなく、安全性が高い。また、ストッパ片をプレーヤ本体の前面に一体突設するだ
けでよいから、部品点数が増加せず、経済的ある。
【発明を実施するための最良の形態】
【００２６】
図１は本発明の第１の実施の形態であるＤＶＤ型ディスク装置の要部を示すものであっ
て、一方の支軸７ａに巻回され両端をフロントパネル３ａと一方のアーム６ａとに係合す
るセット位置に捩じりばね１０がセットされ、該捩じりばね１０のセット位置からの脱落
を阻止するばね脱落阻止手段１７が設けられている。上記以外の構成は図７〜図９に示す
構成とほぼ同じであるから、同一部分に同一符号を付してその説明を省略する。
【００２７】
前記ばね脱落阻止手段１７は、捩じりばね１０と一方の支軸７ａとの間に介在されて一
方のブラケット８ａの外側面に該ブラケット８ａの軸孔９と同心状に一体突設された円筒
軸１７Ａからなっている。
【００２８】
上記構成によれば、例えば子供が悪戯でトレイドア５を無理に開動させ、その際の衝撃
でトレイドア５を折損させることにより、図１（ａ）に仮想線で示すように、トレイドア
５の支軸７ａがブラケット８ａの軸孔９から抜けたとしても、捩じりばね１０と支軸７ａ
との間に円筒軸１７Ａが介在されているので、該円筒軸１７Ａにより捩じりばね１０の脱
落を確実に阻止することができ、従来のように捩じりばね１０がセット位置から脱落して
プレーヤ本体２内のプリント基板に接触することによりショート事故を生じさせることが
なく、安全性が高いディスク装置を提供することができる。
【００２９】
なお、トレイドア５をトレイ挿通孔４の配置する場合には、各アーム６ａ，６ｂを弾性
変位させて各支軸７ａ，７ｂを各ブラケット８ａ，８ｂの軸孔９に嵌入させた後、捩じり
ばね１０を円筒軸１７Ａに遊嵌合させて該捩じりばね１０の両端をフロントパネル３ａと
一方のアーム６ａのストッパ突起６ｃとに係合させればよい。
【００３０】
図２は本発明の第２の実施の形態であるＤＶＤ型ディスク装置の要部を示すものであっ
て、ばね脱落阻止手段１７が、フロントパネル３ａの裏面に突設したロックピン１７Ｂａ
と、捩じりばね１０の一端を弯曲させて形成したリング部１７Ｂｂとを有しており、図３
（ａ）に示すように、リング部１７Ｂｂをロックピン１７Ｂａに対向させて、同図（ｂ）
に示すように、リング部１７Ｂｂをロックピン１７Ｂａに嵌合させ、同図（ｃ）に示すよ
うに、ロックピン１７Ｂａの先端を加熱工具で加熱融解（焼き付け）させて変形させるこ
とにより、そのリング部１７Ｂｂの内径ｒよりも外径Ｒを大きくした抜止頭部２１が一体
形成されている。
【００３１】
上記構成によれば、第１の実施の形態（図１参照）とほぼ同様の効果を得ることができ
、特に、捩じりばね１０の一端に形成したリング部１７Ｂｂをフロントパネル３ａの裏面
に突設した抜止頭部２１付きロックピン１７Ｂａに嵌合させているので、該捩じりばね１
０を巻回させた支軸７ａがブラケット８ａの軸孔９から抜けても〔図２（ａ）仮想線参照
〕、その捩じりばね１０が従来のように脱落することがなく、安全性が高い。また、捩じ
りばね１０のリング部１７Ｂｂをロックピン１７Ｂａに嵌合させた状態で該ロックピン１
７Ｂａの先端を加熱変形させてそのロックピン１７Ｂａの先端に大径Ｒの抜止頭部２１を
形成するだけでよいから、その形成のために部品点数が増加せず、経済的である。
【００３２】
図４は本発明の第３の実施の形態であるＤＶＤ型ディスク装置の要部を示すものであっ
て、ばね脱落阻止手段１７が、フロントパネル３ａの裏面に所定間隔をおいて平行に突設
した一対のロックピン１７Ｃａと、捩じりばね１０の一端を略Ｌ字状に折曲させて形成し
たＬ字部１７Ｃｂとを有しており、図４（ａ）に示すように、Ｌ字部１７Ｃｂをロックピ
ン１７Ｃａに対向させて、同図（ｂ）に示すように、Ｌ字部１７Ｃｂを両ロックピン１７
Ｃａ間に挿入し、同図（ｃ）に示すように、両ロックピン１７Ｃａの先端を加熱融解させ
て変形させることによりその両ロックピン１７Ｃａの先端どうしを連結する連結部２２が
一体形成されている。上記以外の構成は第２の実施の形態（図２及び図３参照）とほぼ同
じなので、その説明を省略する。
【００３３】
上記構成によれば、第１の実施の形態とほぼ同様の効果を得ることができ、特に、捩じ
りばね１０の一端に形成したＬ字部１７Ｃｂをフロントパネル３ａの裏面に突設した一体
連結状両ロックピン１７Ｃａ間に挿入しているので、該捩じりばね１０を巻回させた支軸
７ａがブラケット８ａの軸孔９から抜けても〔図２（ａ）仮想線参照〕、その捩じりばね
１０が従来のように脱落することがなく、安全性が高い。また、捩じりばね１０のＬ字部
１７Ｃｂを両ロックピン１７Ｃａ間に挿入した状態で該両ロックピン１７Ｃａの先端を加
熱変形させてその両ロックピン１７Ｃａの先端どうしを一体連結するだけでよいから、部
品点数が増加せず、経済的である。
【００３４】
図５は本発明の第４の実施の形態であるＤＶＤ型ディスク装置の要部を示すものであっ
て、ばね脱落阻止手段１７が、プレーヤ本体２の前面両端に突設され各アーム６ａ，６ｂ
に接近して前方に突出する一対のストッパ片１７Ｄからなり、該各ストッパ片１７Ｄとア
ーム６ａ，６ｂとの間の隙間αが各支軸７ａ，７ｂの先端から各ブラケット８ａ，８ｂの
内側面までの間隔βよりも小さく設定されている。
【００３５】
上記構成によれば、第１の実施の形態とほぼ同様の効果を得ることができ、特に、トレ
イドア５の折損によりアーム６ａ，６ｂが脱落しようとしても、該アーム６ａ，６ｂがス
トッパ片１７Ｄに当たることにより、そのアーム６ａ，６ｂに突設した支軸７ａ，７ｂが
ブラケット８ａ，８ｂの軸孔９から抜けることがないので、その一方の支軸７ａに巻回し
た捩じりばね１０が脱落することがなく、安全性が高い。また、ストッパ片１７Ｄをプレ
ーヤ本体２の前面に一体突設するだけでよいから、部品点数が増加せず、経済的ある。な
お、図５（ｂ）の下側に位置する捩じりばね１０側ストッパ片１７Ｄだけを残し、その上
側に位置するストッパ片１７Ｄを省略してもよい。
【００３６】
図６は本発明の第５の実施の形態であるＤＶＤ型ディスク装置の要部を示すものであっ
て、フロントパネル３ａと一方のアーム６ａとの間のセット位置に引っ張りばね２３がセ
ットされ、該引っ張りばね２３の作用は捩じりばね１０とほぼ同じであり、その引っ張り
ばね２３のセット位置からの脱落を阻止するばね脱落阻止手段１７が設けられており、該
ばね脱落阻止手段１７が、フロントパネル３ａの裏面に突設したロックピン１７Ｅａと、
引っ張りばね２３の一端を弯曲させて形成したリング部１７Ｅｂとを有し、該リング部１
７Ｅｂをロックピン１７Ｅａに嵌合させた状態で該ロックピン１７Ｅａの先端を加熱変形
させることによりそのリング部１７Ｅｂの内径ｒよりも外径Ｒを大きくしたの抜止頭部２
４が一体形成されている。
【００３７】
上記構成によれば、第１の実施の形態とほぼ同様の効果を得ることができ、特に、引っ
張りばね２３の一端に形成したリング部１７Ｅｂをフロントパネル３ａの裏面に突設した
抜止頭部２４付きロックピン１７Ｅａに嵌合させているので、該引っ張りばね２３を巻回
させた支軸７ａがブラケット８ａの軸孔９から抜けても、その引っ張りばね２３が従来の
ように脱落することがなく、安全性が高い。また、引っ張りばね２３のリング部１７Ｅｂ
をロックピン１７Ｅａに嵌合させた状態で該ロックピン１７Ｅａの先端を加熱変形させて
そのロックピン１７Ｅａの先端に大径Ｒの抜止頭部２４を形成するだけでよいから、その
形成のために部品点数が増加せず、経済的である。
【産業上の利用可能性】
【００３８】
上記の各実施の形態ではＤＶＤ型ディスク装置を例にあげて説明したが、これに限定さ
れるわけではなく、ＤＶＤ一体型ビデオデッキなどの各種電気機器にも適用される。
【図面の簡単な説明】
【００３９】
【図１】（ａ）は本発明の第１の実施の形態であるＤＶＤ型ディスク装置の要部を示す一部切り欠き正面図、（ｂ）は円筒軸付きブラケットの斜視図、（ｃ）はＡ−Ａ矢視図である。
【図２】（ａ）は本発明の第２の実施の形態であるＤＶＤ型ディスク装置の要部を示す一部切り欠き正面図、（ｂ）はＢ−Ｂ矢視図である。
【図３】（ａ）〜（ｃ）はばね脱落阻止手段の形成手順を示す斜視図である。
【図４】（ａ）〜（ｃ）は本発明の第３の実施の形態であるＤＶＤ型ディスク装置におけるばね脱落阻止手段の形成手順を示す斜視図である。
【図５】（ａ）は本発明の第４の実施の形態であるＤＶＤ型ディスク装置の縦断面図、（ｂ）はＣ−Ｃ矢視図である。
【図６】（ａ）は本発明の第５の実施の形態であるＤＶＤ型ディスク装置の要部を示す一部切り欠き側面図、（ｂ）はＥ−Ｅ矢視図である。
【図７】従来例を示す正面図である。
【図８】エジェクト動作を示す縦断面図である。
【図９】同要部の分解斜視図である。
【図１０】同要部の捩じりばね付近の一部切り欠き正面図である。
【符号の説明】
【００４０】
１          トレイ
２          プレーヤ本体
３          筐体
３ａ        フロントパネル
４          トレイ挿通口
５          トレイドア
６ａ，６ｂ  アーム
７ａ，７ｂ  支軸
８ａ，８ｂ  ブラケット
９          軸孔
１０        捩じりばね
１７        ばね脱落阻止手段
１７Ａ      円筒軸
１７Ｂａ    ロックピン
１７Ｂｂ    リング部
１７Ｃａ    ロックピン
１７Ｃｂ    Ｌ字部
１７Ｄ      ストッパ片
１７Ｅａ    ロックピン
１７Ｅｂ    リング部
２１        抜止頭部
２２        連結部
２３        引っ張りばね
２４        抜止頭部
ａ，ｂ      前後進
ｃ，ｄ      開閉動作
Ｄ          ディスク
α          ストッパ片とアームとの間の隙間
β          支軸の先端からブラケットの内側面までの間隔
Ｒ          抜止頭部の外径
ｒ          リング部の内径
【図１】
2006004549.tif 000003
【図２】
2006004549.tif 000004
【図３】
2006004549.tif 000005
【図４】
2006004549.tif 000006
【図５】
2006004549.tif 000007
【図６】
2006004549.tif 000008
【図７】
2006004549.tif 000009
【図８】
2006004549.tif 000010
【図９】
2006004549.tif 000011
【図１０】
2006004549.tif 000012